(57)【要約】テレビジョン受像機を用いてインターネット及び／又は電子メールアドレスを呼び出すために特に使用されうるテレビジョン信号中の参照情報項目を選定する方法が記載されている。テレビジョン信号はビデオ信号及び補助信号を含み、参照情報項目は補助信号に含まれている。本発明によれば、参照情報項目はビデオ信号の画像内容のサブ領域に割り当てられ、参照情報項目は割り当てられたサブ領域を選択することによって選定され、割り当てられた情報の再生が可能とされる。補助信号は、画像内容のサブ領域に割り当てられる輪郭情報を含み、サブ領域の外側輪郭の近似を表わす。補助信号は、アナログテレビジョン信号の場合は望ましくは垂直帰線消去期間中に配置されることが望ましく、ディジタルテレビジョン信号の場合はいわゆるユーザデータ中に配置されることが望ましい。
2004517588.tif 000002
【特許請求の範囲】
【請求項１】
ビデオ信号及び補助信号を含むテレビジョン信号中の参照情報項目を選定する方法であって、
参照情報項目は補助信号に含まれており、参照情報項目を選定することにより割り当てられた情報の再生及び／又は割り当てられた動作の実行が可能となり、
参照情報項目はビデオ信号の画像内容のサブ領域に割り当てられ、参照情報項目は割り当てられたサブ領域を選択することによって選定されることを特徴とする方法。
【請求項２】
補助信号は、画像内容のサブ領域に割り当てられ前記サブ領域の外側輪郭の近似を表わす輪郭情報項目を含むことを特徴とする、請求項１記載の方法。
【請求項３】
前記輪郭情報項目は、多項式又はスプライン関数といった近似関数用のパラメータを含むことを特徴とする、請求項２記載の方法。
【請求項４】
前記ビデオ信号及び補助信号はアナログテレビジョン信号として送信されたもの又は記録媒体から再生されたものであり、前記補助信号は前記ビデオ信号の垂直帰線消去期間に挿入されていることを特徴とする、請求項１乃至３のうちいずれか一項記載の方法。
【請求項５】
前記補助信号はテレテキスト形式で表わされることを特徴とする、請求項４記載の方法。
【請求項６】
前記ビデオ信号及び補助信号はＭＰＥＧビデオ標準でディジタルテレビジョン信号として送信されたもの又は記録媒体から再生されたものであり、前記補助信号はピクチャレイヤのｅｘｔｅｎｓｉｏｎｓ＿ａｎｄ＿ｕｓｅｒ＿ｄａｔａのｕｓｅｒ＿ｄａｔａに挿入されていることを特徴とする、請求項１乃至３のうちいずれか一項記載の方法。
【請求項７】
前記参照情報項目はインターネット又は電子メールアドレスへのハイパーリンクを表わし、前記参照情報項目が選定されたときは前記ハイパーリンクはインターネットブラウザへ転送されることを特徴とする、請求項１乃至６のうちいずれか一項記載の方法。
【請求項８】
前記参照情報項目は、例えばコンピュータマウスを用いて画面上を動かされるカーソルを用いて前記ビデオ信号の画像内容の領域を選択することによって選定されることを特徴とする、請求項１乃至７のうちいずれか一項記載の方法。
【請求項９】
請求項１乃至８のうちいずれか一項記載の方法を実行する装置。
【請求項１０】
ビデオ信号に加えて、参照情報項目を有する補助信号を含むテレビジョン信号であって、
参照情報項目の選定は割り当てられた情報の再生を可能とし、
前記参照情報項目は前記ビデオ信号の画像内容のサブ領域に割り当てられることを特徴とするテレビジョン信号。
【請求項１１】
請求項１０記載のテレビジョン信号のための記録媒体。
【発明の詳細な説明】
【０００１】
本発明は、特にテレビジョン受像機を用いてインターネット及び／又は電子メールアドレスを呼び出すのに使用されうる、テレビジョン信号中の参照情報項目を選定する方法に関する。
【０００２】
［従来技術］
インターネットページの設定の本質的な構成要素は、いわゆるハイパーリンク又は省略してリンクと称される参照情報の使用である。これらのハイパーリンクは、オブジェクト中のインターネットサービスの形の文書又はファイルの固有アドレスを指定する：／／Ｃｏｍｐｕｔｅｒｎａｍｅ／Ｄｉｒｅｃｔｏｒｙｎａｍｅ／Ｎａｍｅ．Ｔｙｐｅ＃Ｌｏｃａｔｉｏｎ。
【０００３】
画面上のハイパーリンクのグラフィックな表現は、下線付きのテキストやハイパーリンクにリンクされた画像（アイコンとして知られる）として与えられる場合が多い。ハイパーリンクは、通常はコンピュータマウスを用いてテキスト又はアイコン上をクリックすることによって選択され選定される。クリックの結果として、例えば、他のインターネットページが呼び出され、ブラウザにロードされる。
【０００４】
インターネット又は電子メール（ｅｍａｉｌ）のアドレスは、テレビジョン放送中に及びテレテキストページ上に示されることが多くなっている。更に、ウェブＴＶとしても知られる対話型テレビジョン受像機は、電子メールの送受信を含むインターネットへのアクセスを可能とし、現在のテレビジョン受像機とパーソナルコンピュータの間の技術的な相違に対する適応が必要である。
【０００５】
従って、国際公開Ａ−９７４９０４４号は、インターネットページをテレビジョン画面上に表示することを可能とするためのウェブブラウザ用のインタフェースを開示する。この場合、インターネットページ上のリンクはインタフェースによって認識され画面上の割り当てられた認識文字によって識別される。このために、リンク上をクリックすることなしにリンクが選定されることを可能とするために異なる色又は数を用いることが可能である。このようにして、コンピュータマウスを使用せずに、例えばテレビジョン用遠隔制御装置を用いてリンクを生じさせることが可能である。このことは、サーフィンを行うこと及び装置の制御を行うことの両方に１つの制御ユニットが使用されうるという利点があり、この制御ユニットは更に、例えば年輩者といったコンピュータマウスを使用することに慣れていない人にも知られている。
【０００６】
独国特許公開第１９８１１１０３号は、テレテキストデータストリーム中で伝送されたインターネット又は電子メールのアドレスを見つけ、アドレスを書き出してこれをインターネットブラウザに入力する必要なしに、この情報をインターネットブラウザに直接転送するものを開示している。この場合の始まりの点は、埋込リンクを有するインターネットページではなく、テレテキストデータが表示されているテレビジョン受像機の動作モードである。この場合、例えばインターネットページ用のＨＴＭＬリンクといったリンクはこれらのテレテキストページには埋め込まれない。テレテキストページ上に表示された英数字が、ユーザ又は適当な装置によって、インターネット又は電子メールアドレスに対応するかどうかを判定するために検討される。特に、アドレスはテレテキストページ上に表示されるフラグメントによっても発生されうる。
【０００７】
更に、米国特許第５８１８９３５号は、いわゆるインターネット情報ポインタを有するテーブルをビデオ信号と共に送信するものを開示する。このテーブルはユーザによって読み出されうるものであり、次にビデオ信号に重ね合わされた形式で表示される。ユーザは、表示されたアドレスのうちの１つを選択することができ、アドレスはすぐにインターネットブラウザに供給される。この場合、適当なエンコーダは送信のための送信端において特定のテレテキストページにインターネット情報ポインタを挿入する。ユーザは、当該のビデオ信号に関する情報項目と共にインターネットページを呼び出そうとするとき、まず選択テーブルが表示されるよう遠隔制御装置上のボタンを押し、次に重ね合わされた表現に従って、例えば割り当てられた番号を入力することによってアドレスを選択するために遠隔制御装置上のボタンを押さねばならない。
【０００８】
［発明］
本発明は、簡単且つ直感的な制御を邪魔な挿入なしに互換性のある方法で可能とするテレビジョン信号中の参照情報項目を選定する方法を特定することを目的とする。この目的は、請求項１に特定される方法によって達成される。
【０００９】
原理上は、本発明による方法は、ビデオ信号のほかに参照情報項目用の補助信号を含むテレビジョン信号中で、参照情報項目はビデオ信号の画像内容のサブ領域に割り当てられ、参照情報項目は割り当てられたサブ領域を選択することによって選定され、それにより割り当てられた情報の再現を可能とするものである。
【００１０】
本発明の更なる利点は、本発明の典型的な実施例を示す請求の範囲、残る明細書の部分、及び図面から明らかとなろう。
【００１１】
本発明の典型的な実施例について図面を参照して説明する。
【００１２】
［典型的な実施例］
図１は、テレビジョン信号の異なるサブ領域に対するハイパーリンクの割り当てを示す図である。図１ａは、例えば画面上で再生に対して任意の所望の方法で効果が与えられることが可能なテレビジョン信号の画像内容を示す例を用いる。再生された画面は、浜辺でピクニックをしている家族を示す。この場合、画面表現は、下線付きのテキストやアイコンといった形式の邪魔な視覚的に認識可能なハイパーリンクを含んでいない。
【００１３】
それでも、第１のハイパーリンクは人物に割り当てられ、第２のハイパーリンクは背景に割り当てられる。この場合、図１ｂに示すように、人物の輪郭は画像信号の異なるサブ領域に割り当てられたハイパーリンク間の境界規準となる。この場合、人物の輪郭２、３の中にあるサブ領域が選択されたときは第１のハイパーリンクが呼び出され、例えば、ユーザを衣料品百貨店のホームページへ導く。これに対して、背景１が選択されたときは、例えば旅行代理店のホームページに導く第２のハイパーリンクが呼び出される。同じく、選択された領域に対して、上述の例では例えば休暇地域、表わされた衣料品の価格、又は人の映画の名前や演じている俳優の名前といった、より詳細な情報が直接出力されうる。情報は、ユーザによる選択に応じてインターネットから要求されてもよく、或いは、最初からビデオ信号と共に送信されてもよい。
【００１４】
これらのより詳細な情報項目は、画面にいっぱいの形で、又は、挿入や重ね合わせの形で、特に視覚的に画面上に再生されうる。しかしながら、同じく、主により短い情報項目の場合、音声シンセサイザを用いて音響再生を行うことが可能である。
【００１５】
同じく、サブ領域が選択されたとき、電子メールエディタが開かれ、受取人のアドレスが自動的に利用可能とされてもよい。
【００１６】
最後に、更なる情報項目の再生の代わりに、ユーザによるオブジェクトの選択を放送会社へ送信するだけでもよい。これにより、ユーザは例えば、特にドイツにおけるＴＥＤ投票で知られているように、便利に視聴者投票を行うことが可能となる。
【００１７】
図１中の、サブ領域の境界付けと、２つの異なるハイパーリンクの一方を人物へ他方を背景へ割り当てることは、人物の輪郭がハイパーリンク及びテレビジョン信号と共に送信されることによって行われる。人物に割り当てられたハイパーリンクは、例えば人物上をクリックすることによって選択されうる。
【００１８】
最も単純であるが、殆どいつでも一番正確でない手順は、サブ領域を円、楕円、又は多角形で近似するものである。これは、わずかなパラメータのみが必要とされ送信されねばならないという利点があり、例えば円の場合は、パラメータは円の中心と直径又は半径のみである。ユーザは一般的にはクリックされるべきオブジェクトの略中心をクリックすることが多いため、多くの場合に正確さは十分である。
【００１９】
選択されるべきオブジェクトの輪郭は、多くの場合は輪郭が別々に近似される複数のサブセクションへ細分化される場合により正確に近似されうる。このために、数学的には例えば多項式及びスプライン関数といった近似のための様々な関数が知られている。この場合、近似の質は実施される複雑さに依存する。
【００２０】
「線形回帰」又は「１次多項式回帰」とも称される線形当てはめは、最も単純な近似関数として選定されうる。この場合、複数の点を通ってできるかぎり最適に直線を描くことが試みられる。正確さは、より高い次数の多項式回帰によって改善されうる。しかしながら、多くのより複雑な輪郭はもはや多項式を用いては適切に描くことができない。この場合、例えばスプライン近似といった線形当てはめが用いられる。
【００２１】
同じように、サブ領域の輪郭によって適切な近似方法を選択することが可能である。例えば、自動車に対しては近似関数を用い、タイヤに対しては円を用いて、複数のサブセクションの近似を取ることができる。
【００２２】
最後に、輪郭の近似の代わりに、画面内容もまたラスタ方式でブロックへ分割されえ、選択されるべきオブジェクトが表わされているブロックに関する情報項目が送信される。ＭＰＥＧＩＩビデオ信号のように、ディジタルビデオ信号の場合は、符号化のために、ビデオ信号はマクロブロック及びブロックへ細分化されており、選択されるべきオブジェクトは特にそれに対して割り当てられうる。
【００２３】
図２は、輪郭情報項目をディジタルテレビジョン信号へ挿入するエンコーダを示す図である。
【００２４】
例えば、ＩＳＯ／ＩＥＣ１３８１８−２で決められているＭＰＥＧＩＩビデオ標準は、ディジタルテレビジョン信号の伝送又は記録及び再生のために使用されうる。仕様書は、シーケンスレイヤ、ＧＯＰ（Ｇｒｏｕｐ Ｏｆ Ｐｉｃｔｕｒｅｓ）レイヤ、ピクチャレイヤ、スライスレイヤ、マクロブロックレイヤ、及びブロックレイヤとして指定される全部で６つのレイヤの異なるレイヤ中でユーザによって特定のアプリケーションのために使用されうるデータ領域を与える。本発明によれば、これらのいわゆるユーザデータは、輪郭情報項目及び関連するハイパーリンクの伝送のために使用されうる。
【００２５】
フレーム中にハイパーリンクが与えられているオブジェクトのために、輪郭情報項目はメモリ４中に格納される。輪郭情報項目は変換器５へ与えられ、変換器５はベジェ又はＢスプラインを用いて近似を行うために輪郭情報項目を用いる。夫々のスプラインに対する制御点の最大数は、この場合は、ハイパーリンクが与えられているオブジェクトの数又はユーザデータを通じて利用可能なデータ領域のサイズといった種々のパラメータに依存する制限ユニット８によって制限される。伝送されるべきデータは、例えばオブジェクトの動きの結果として生ずる制御点の変化を決定し得られた差の値のみを符号化する圧縮ユニット７によって減少されうる。この場合、同期ユニット６は、例えばいわゆるＩフレームのみに基づく符号化といった符号化処理の同期を確実とする。更なる符号化ユニット９は、圧縮されたスプラインデータをＭＰＥＧビデオ信号のユーザデータの形式と一致させる。スプラインデータは、夫々のハイパーリンクのアドレス情報項目と共に、可能であれば、更なるデータと共にｕｓｅｒ＿ｄａｔａへ挿入され、望ましくは更なるユニット１０によってピクチャレイヤのｅｘｔｅｎｓｉｏｎｓ＿ａｎｄ＿ｕｓｅｒ＿ｄａｔａへ挿入される。
【００２６】
この場合、スプラインデータはそのまま認識され、従って対応するよう装備された受信及び／又は再生装置により使用されえ、その一方で従来の受信及び／又は再生装置の場合はスプラインデータは無視され、それにより下位互換性が確実とされる。
【００２７】
最後に、ピクチャレイヤのｕｓｅｒ＿ｄａｔａは、多重化ユニット１４による送信又は記録のためにＭＰＥＧビデオ信号に加えられ、この信号は、Ａ／Ｄ変換器１１によってアナログからディジタルテレビジョン信号へ変換され、続いてビデオメモリ１２にバッファ記憶された後、ＭＰＥＧビデオエンコーダ１３によって符号化されている。
【００２８】
図３は、輪郭情報項目をアナログテレビジョン信号の垂直帰線消去期間に挿入するエンコーダを示す図である。
【００２９】
ＰＡＬ、ＮＴＳＣ、又はＳＥＣＡＭといったアナログテレビジョンシステムでは、いわゆる垂直帰線消去期間（略してＶＢＩとも称する）中はビデオ信号は全く送信されない。しかしながら、この領域は、ディジタルデータの同時伝送のために使用される。従って、ビデオレコーダの記録モードの制御を簡単化するためにいわゆるＶＰＳデータがＶＢＩ中で伝送される。
【００３０】
同じように、表現されるビデオ信号の形式に関する情報項目を含むいわゆるＷＳＳビットが通信される。更に、提供されるテレビジョン番組に加えて、画面上の文字やグラフィックスによって現在のニュース、天気予報、スポーツ情報等を再生するために、テレテキストとして知られるものが用いられる。
【００３１】
本発明によれば、ＶＢＩは、特にテレテキスト信号の領域、即ち、ドイツでは第１のフィールドのライン１１乃至１５、２０、２１、並びに、第２のフィールドのライン３２３乃至３２８、３３３及び３３４は、輪郭情報項目及び関連するハイパーリンクの伝送を可能とするために使用されうる。これに適したエンコーダは、図２のエンコーダに大きく対応し、図３に示されている。ユニット４、５、７、８は同一であり、同期ユニット６ａは、ｎ番目のフィールド又はフレーム毎の符号化を確実とし、符号化ユニット９ａは圧縮されたスプラインデータをテレテキスト形式に一致させ、ユニット１０ａはこれらをテレテキストデータへ挿入する。ユニット１５は、既にテレテキストデータ又は他のＶＢＩを含むアナログテレビジョン信号を供給する。ビデオ信号及びデータは、更なるユニット１６において互いから分離される。ＶＢＩラインの内容は、輪郭情報項目の挿入のためにユニット１０ａへ供給され、ビデオ信号はメモリ１７中にバッファ記憶される。完成したテレテキスト信号及びバッファ記憶されたビデオ信号は、多重化ユニット１４ａによる伝送又は記録のために完成したテレビジョン信号を形成するために再び組み合わされる。
【００３２】
図２及び図３中のユニットは、部分的に又は完全に組み合わされてもよく、又はソフトウエアを用いて実施されてもよい。
【００３３】
再生側では、ビデオ信号を輪郭情報項目及びアドレス情報項目から再び分離するために対応するデコーダが使用されうる。
【００３４】
図４は、ディジタルテレビジョン信号中の輪郭情報項目を評価するデコーダを示す図である。まず、再生装置によって受信又は再生されるＭＰＥＧ信号は、ピクチャレイヤのｕｓｅｒ＿ｄａｔａをＭＰＥＧ符号化されたビデオ信号から分離するデマルチプレクサ１５へ供給される。次に、ビデオデータはＭＰＥＧビデオデコーダ１６において復号化され、ビデオバッファ１７にバッファ記憶される。変換ユニット１８中で、圧縮されたスプライン信号はｕｓｅｒ＿ｄａｔａから再生成され、圧縮されたスプライン信号からハイパーリンク輪郭の再現のためのサポート点を決定する復号化ユニット１９へ供給される。これらのことから、変換ユニット２０は、ベジェ又はＢスプラインに基づいて実際の輪郭を決定する。フィールド又はフレームに隠されたハイパーリンクのための異なる輪郭情報項目は、バッファユニット２１にバッファ記憶され、重ね合わせユニット２２によってビデオ信号に望ましくは目に見えない方法で重ね合わされる。
【００３５】
図５は、アナログテレビジョン信号の帰線消去期間中で伝送された輪郭情報項目を評価するデコーダを示す図である。エンコーダ側と同様、デコーダは殆ど対応するものであり、特にユニット１９と２２は同一である。ユニット２３は、テレテキストデータを伴うアナログテレビジョン信号又は輪郭及びアドレス情報項目を含む他のＶＢＩデータを供給する。ビデオ信号及びデータは、ユニット２４において互いから分離される。ビデオ信号はバッファメモリ２５にバッファ記憶され、ＶＢＩラインの内容は輪郭情報項目の検出及び分離のためにユニット２６へ供給される。
【００３６】
ハイパーリンクは、特にカーソル位置の検出によって、また、特にボタンを押すことによって与えられうる選択コマンドによって選定されうる。カーソルは例えば遠隔制御装置上の矢印キーやコンピュータマウスによって画面上を動かされうる。
【００３７】
操作の容易性は、様々な方法で更に改善されうる。従って、隠されたハイパーリンクが与えられているオブジェクトの輪郭は、カーソルがオブジェクト上へ案内されたときは色で強調されうる。同様に、ユーザによる対応する入力により、現在のハイパーリンクを有するビデオ信号はバッファ記憶されうる。これは、特に速く変化する画面内容の場合に、ユーザがいそがずにハイパーリンクの選択及び選定を行うことを可能とするために興味深いものである。
【００３８】
本発明は、例えばテレビジョン受像機、セットトップボックス、ビデオレコーダ、ＤＶＤプレーヤ、衛星受信機、ＴＶ−ビデオの組合せといった消費者電化製品に関する広い範囲の装置で実施されうる。
【図面の簡単な説明】
【図１ａ】
テレビジョン信号の異なるサブ領域のためのハイパーリンクの割り当てを示す図である。
【図１ｂ】
テレビジョン信号の異なるサブ領域のためのハイパーリンクの割り当てを示す図である。
【図２】
ＭＰＥＧ信号のユーザデータへの輪郭情報項目の挿入を行うエンコーダを示す図である。
【図３】
アナログテレビジョン信号の垂直帰線消去期間への輪郭情報項目の挿入を行うエンコーダを示す図である。
【図４】
ＭＰＥＧ信号のユーザデータ中の輪郭情報項目の評価を行うデコーダを示す図である。
【図５】
アナログテレビジョン信号の垂直帰線消去期間中の輪郭情報項目の評価を行うデコーダを示す図である。
【国際公開パンフレット】
2004517588.tif 000003
2004517588.tif 000004
2004517588.tif 000005
2004517588.tif 000006
2004517588.tif 000007
2004517588.tif 000008
2004517588.tif 000009
2004517588.tif 000010
2004517588.tif 000011
2004517588.tif 000012
2004517588.tif 000013
2004517588.tif 000014
2004517588.tif 000015
2004517588.tif 000016
2004517588.tif 000017
2004517588.tif 000018
2004517588.tif 000019
2004517588.tif 000020
【手続補正書】
【提出日】平成14年12月6日(2002.12.6)
【手続補正１】
【補正対象書類名】明細書
【補正対象項目名】特許請求の範囲
【補正方法】変更
【補正の内容】
【特許請求の範囲】
【請求項１】
埋込みハイパーリンクを有するビデオ信号の送信又は記録を行う方法であって、
前記ハイパーリンクは割り当てられた情報の再生及び／又は割り当てられた動作の実行を可能とし、前記ハイパーリンクは表示されたビデオ信号の画像内容のサブ領域に割り当てられ、前記割り当てられたサブ領域を選択することによって作動されえ、前記再生されるべき情報及び／又は実行されるべき動作に関するハイパーリンク情報、並びに、前記サブ領域の輪郭の近似を表わす輪郭情報が送信又は記録され、
前記ビデオ信号は、ハイパーリンク情報及び輪郭情報がピクチャレイヤのｕｓｅｒ＿ｄａｔａ領域に挿入されてＭＰＥＧビデオ標準に従ってディジタルテレビジョン信号として送信又は記録されることを特徴とする方法。
【請求項２】
前記輪郭情報は多項式又はスプライン関数といった近似関数のためのパラメータを含むことを特徴とする、請求項１記載の方法。
【請求項３】
埋込みハイパーリンクを有するビデオ信号を再生する方法であって、
ハイパーリンクは割り当てられた情報の再生及び／又は割り当てられた動作の実行を可能とし、前記ハイパーリンクは表示されたビデオ信号の画像内容のサブ領域に割り当てられ、割り当てられたサブ領域を選択することによって作動されえ、再生されるべき情報及び／又は実行されるべき情報に関するハイパーリンク情報、並びに、サブ領域の輪郭の近似を表わす輪郭情報が受信され、
ビデオ信号は、ハイパーリンク情報及び輪郭情報がピクチャレイヤのｕｓｅｒ＿ｄａｔａ領域から分離されてＭＰＥＧビデオ標準に従ってディジタルテレビジョン信号として受信されることを特徴とする方法。
【請求項４】
ハイパーリンク情報は、選択されたときにインターネットブラウザへ転送されるインターネット又は電子メールアドレスへのハイパーリンクを表わすことを特徴とする、請求項３記載の方法。
【請求項５】
前記ハイパーリンク情報は、例えばコンピュータマウスを用いて画面上を動かされるカーソルを用いて前記割り当てられたサブ領域を選択することによって作動されることを特徴とする、請求項３又は４記載の方法。
【請求項６】
請求項１乃至５のうちいずれか一項記載の方法を実行する装置。
【請求項７】
埋め込まれたハイパーリンクを有するビデオ信号用の情報担体であって、
ハイパーリンクは割り当てられた情報の再生及び／又は割り当てられた動作の実行を可能とし、
ハイパーリンクは、表示されたビデオ信号の画像内容のサブ領域に割り当てられ、割り当てられたサブ領域を選択することによって作動され、
再生されるべき情報及び／または実行されるべき動作に関するハイパーリンク情報、並びに、サブ領域の輪郭の近似を表わす輪郭情報は送信又は記録され、
ビデオ信号は、ハイパーリンク情報及び輪郭情報がピクチャレイヤのｕｓｅｒ＿ｄａｔａ領域へ挿入されてＭＰＥＧビデオ標準に従ってディジタルテレビジョン信号として記録されることを特徴とする情報担体。
【国際調査報告】
2004517588.tif 000021
2004517588.tif 000022
2004517588.tif 000023